(57)【特許請求の範囲】
【請求項１】
回動部材が有する嵌合部と支持部材が有する被嵌合部とを嵌合して回動支点機構を構成することによって、押鍵操作に伴い前記支持部材により前記回動部材が回動中心を中心に回動自在に支持されるように構成すると共に、前記回動部材をその回動初期位置に復帰させるための復帰手段を備えた鍵盤装置であって、
前記回動支点機構を、押鍵操作範囲内に対応する前記回動部材の回動角度では前記回動部材の嵌合部と前記支持部材の被嵌合部との嵌合状態が維持される一方、押鍵操作範囲外に対応する前記回動部材の回動角度では前記回動部材の嵌合部と前記支持部材の被嵌合部との嵌合操作及び嵌合の解除をなし得るように構成し、
前記回動部材の嵌合部及び前記支持部材の少なくとも一方に弾性片を一体的に設けることによって、前記回動部材の嵌合部を前記回動中心近傍に向かって付勢するための付勢機構を構成し、
前記弾性片は、前記回動部材の嵌合部の外側と前記支持部材との間において、前記回動中心を中心とした円弧曲線に沿って延設されていることを特徴とする鍵盤装置。
【発明の詳細な説明】
【０００１】
【発明の属する技術の分野】
本発明は、押鍵操作に伴い回動する鍵や質量体等のような回動部材を備えた鍵盤装置に関する。
【０００２】
【従来の技術】
従来、押鍵操作に伴い回動する鍵や質量体のような回動部材を支持部材によって支持するようにした鍵盤装置が知られている。この装置では、回動部材を回動自在に支持するために、例えば回動部材または支持部材の一方に軸部を、他方にその軸部が嵌合する軸受け部を設け、上記軸部を上記軸受け部に摺動可能に嵌合して回動支持機構が構成される場合がある。回動部材が合成樹脂等で構成される場合は、上記軸部等は、金型成形により回動部材または支持部材の本体と一体に形成されることが多い。
【０００３】
金型による成形手法としては、上記軸部の軸線に直交する方向において互いに離接する２つの金型で上記軸部を形成する手法がある。この手法では、例えば上記軸部の上半分を上側金型が受け持ち、下半分を下側金型が受け持つというようにして形成される。
【０００４】
【発明が解決しようとする課題】
しかしながら、一般に各金型にはスライド動作の必要上、スライド機構に僅かなクリアランスが設けられているため、金型自身に寸法誤差が全くないと仮定した場合でも、成形品にはスライド方向に直交する方向において上記クリアランスに相当するずれ量が生じ得る。そのため、２つの金型で上記軸部を成形した場合、上記軸部の上半分と下半分との間にずれが生じ、真円を得るのが困難である。
【０００５】
また、上記軸部の軸線に沿う方向にスライドする金型で上記軸部を成形する手法もあるが、その場合でも、上記と同様に金型のスライド機構のクリアランスによって上記軸部が本来の狙い位置から偏心し、上記軸受け部に対する芯ずれが生じる場合があり得る。さらに、上記軸部が例えば左右両側に突出するような２つの突部として形成され、軸線に沿う方向に互いに離接する２つの金型で両軸部が形成される場合でも、両軸部同士間で偏心が生じ、少なくとも一方の軸部が上記軸受け部に対して芯ずれを生じることになる。
【０００６】
このような金型成形の精度上の理由から、上記軸部を正規の位置に真円として形成することが困難であるため、上記軸受け部側の対応する円弧部は一般に、上記誤差を許容することができる寸法に設定される。すなわち、十分なクリアランスを設けた大きめの円弧に設定される。その結果、押鍵操作による回動時に上記軸部及び上記軸受け部間の相対的運動によってあばれが生じやすく、回動動作が不安定となり、メカノイズが発生するだけでなく、耐久性も悪化するという問題があった。特に、押鍵操作による質量体の回動のように、回動部材の支点部に強い力が加わる態様や速い速度で回動するような態様で使用される場合は、これらの不具合が無視できず、振動が押鍵する手に伝わり押鍵感触にも悪影響を与えるという問題があった。
【０００７】
本発明は上記従来技術の問題を解決するためになされたものであり、その目的は、簡単な構成で、押鍵時における安定した回動動作を確保して、メカノイズの低減、押鍵感触の向上及び耐久性の向上を図ることができる鍵盤装置を提供することにある。
【０００８】
【課題を解決するための手段】
上記目的を達成するために本発明の請求項１の鍵盤装置は、回動部材が有する嵌合部と支持部材が有する被嵌合部とを嵌合して回動支点機構を構成することによって、押鍵操作に伴い前記支持部材により前記回動部材が回動中心を中心に回動自在に支持されるように構成すると共に、前記回動部材をその回動初期位置に復帰させるための復帰手段を備えた鍵盤装置であって、前記回動支点機構を、押鍵操作範囲内に対応する前記回動部材の回動角度では前記回動部材の嵌合部と前記支持部材の被嵌合部との嵌合状態が維持される一方、押鍵操作範囲外に対応する前記回動部材の回動角度では前記回動部材の嵌合部と前記支持部材の被嵌合部との嵌合操作及び嵌合の解除をなし得るように構成し、前記回動部材の嵌合部及び前記支持部材の少なくとも一方に弾性片を一体的に設けることによって、前記回動部材の嵌合部を前記回動中心近傍に向かって付勢するための付勢機構を構成し、前記弾性片は、前記回動部材の嵌合部の外側と前記支持部材との間において、前記回動中心を中心とした円弧曲線に沿って延設されていることを特徴とする。
【０００９】
この構成によれば、回動部材が有する嵌合部と支持部材が有する被嵌合部とを嵌合して回動支点機構が構成される。押鍵操作範囲内に対応する回動角度では嵌合部と被嵌合部との嵌合状態が維持され、押鍵操作に伴い回動部材が回動中心を中心に回動する。押鍵操作を解除すると復帰手段によって回動部材がその回動初期位置に復帰する。押鍵操作範囲外に対応する回動角度では嵌合部と被嵌合部との嵌合操作及び嵌合の解除をなし得る。回動部材の嵌合部は付勢機構によって回動中心近傍に向かって付勢されるので、回動部材の嵌合部または支持部材の被嵌合部の製造誤差を考慮して両者間にクリアランスを設けた場合であっても、両者間であばれが発生しにくく、両者の適切な嵌合状態が維持され、回動動作が安定する。その結果、メカノイズを低減することができ、押鍵する手に伝わる振動を減少させて押鍵感触の悪化を抑制することができるだけでなく、耐久性を向上することができる。また、付勢機構は回動部材の嵌合部及び支持部材の少なくとも一方に弾性片を一体的に設けることによって構成されるので、構成が簡単である。よって、簡単な構成で、押鍵時における安定した回動動作を確保して、メカノイズの低減、押鍵感触の向上及び耐久性の向上を図ることができる。
【００１０】
【発明の実施の形態】
以下、本発明の実施の形態を図面を参照して説明する。
【００１１】
図１は、本発明の一実施の形態に係る鍵盤装置の部分縦断面図である。同図では、上ケースや蓋体等は省略されている。なお、以下、本鍵盤装置の演奏者側（同図左方）を前方、演奏者からみて鍵後端方向（同図右方）を後方とそれぞれ称する。
【００１２】
本装置は、例えば電子鍵盤楽器として構成され、押鍵操作されるシーソー型の鍵１（白鍵１Ｗ及び黒鍵１Ｂ）と、質量体支持部材２０と、該支持部材２０によって回動自在に支持され鍵１によって駆動されて回動する質量体４０（回動部材）とを有する。質量体４０は、白鍵１Ｗ及び黒鍵１Ｂの各々に対応して設けられ、質量配分等を除きいずれも同様に構成される。支持部材２０は、例えば全鍵一体に構成される。なお、１オクターブ毎または複数オクターブ毎に構成してもよい（図２では１オクターブ分を図示した）。
【００１３】
棚板２上には鍵フレーム１０が設けられている。鍵フレーム１０上には鍵支持部３が設けられ、鍵支持部３には支点ピン６（白鍵用支点ピン６Ｗ、黒鍵用支点ピン６Ｂ）が各鍵１に対応して突設されている。各鍵１Ｗ、１Ｂにはそれぞれ支点穴１Ｗａ、１Ｂａが設けられている。支点穴１Ｗａ、１Ｂａはいずれも、下方に向かって縮径している。各鍵１の鍵盤装置本体への組み付け（鍵フレーム１０を介した棚板２への取り付け）時には、支点ピン６が支点穴１Ｗａ、１Ｂａを貫通し、これにより、各鍵１の鍵並び方向及び鍵長手方向の位置が規制されると共に、各鍵１が鍵支持部３によって押離鍵方向に回動自在に支持される。各鍵１の後端部上面には、発泡ウレタンが貼着され、さらにその上面には摺動しやすいテープが貼着されている。これら発泡ウレタン及びテープからなる弾性体が貼着された部分は後述する質量体４０の発音位置調整ネジ４１と当接して質量体４０を駆動する駆動部９として機能する。上記弾性体により当接がチャタリングなく円滑にされている。すなわち、弾性体により、鍵１と質量体４０との間において、駆動時の振動インピーダンスマッチングを適切にとることができる（オーバーシュートによる振動モードを発生しない）ということである。
【００１４】
鍵フレーム１０の前部には、押鍵ストッパ４（白鍵用押鍵ストッパ４Ｗ、黒鍵用押鍵ストッパ４Ｂ）が白鍵全鍵に亘って共通に設けられ、また黒鍵全鍵に亘って共通に設けられている。キーガイド５（白鍵用キーガイド５Ｗ、黒鍵用キーガイド５Ｂ）は、各鍵１毎に設けられている。押鍵ストッパ４は鍵１と当接して鍵１の押鍵の回動終了位置を規制する。キーガイド５は、鍵１の回動時における鍵並び方向への揺動を抑制する。
【００１５】
鍵フレーム１０上における押鍵ストッパ４、キーガイド５の後方であって鍵支持部３の前方には、スイッチ基板７が設けられ、該スイッチ基板７には各鍵１毎に第１の鍵スイッチ８が設けられている。第１の鍵スイッチ８は主として押鍵操作を検出する。
【００１６】
質量体支持部材２０は、棚板２上における鍵１の後端部近傍に設けられている。支持部材２０の前部には、非押鍵時用ストッパ２１が全鍵共通に設けられており、非押鍵時用ストッパ２１は、鍵１と当接して鍵１の押鍵開始位置（あるいは押鍵初期位置とも称する）（図１）、すなわち非押鍵時の位置を規制する。支持部材２０の後部には、質量体用ストッパ２２が全質量体共通に設けられている。質量体用ストッパ２２は、質量体４０の当接部４４と当接して、押鍵に伴う質量体４０の回動の終了位置を規制すると共に、緩衝機能を果たす。
【００１７】
支持部材２０にはさらに、スイッチ基板２３が設けられる。スイッチ基板２３は、複数の支持部材２０に対応、例えば全鍵に対応して設けられ、ネジ２４によって支持部材２０に固定されている。スイッチ基板２３上には第２の鍵スイッチ２５が各質量体４０毎に設けられている。第２の鍵スイッチ２５は、質量体４０によって押下され、主として鍵１の離鍵動作を間接的に検出する。なお、本実施の形態では、設定モードにより第１の鍵スイッチ８及び第２の鍵スイッチ２５の双方による検出結果に基づいて、所定のアルゴリズムによる多彩な楽音制御が可能なように構成されているが、鍵スイッチ８及び第２の鍵スイッチ２５のいずれか一方による検出結果に基づいて楽音制御を行うようにしてもよい。
【００１８】
図２は、支持部材２０を上方からみた平面図である。同図では、鍵１や質量体４０等が取り付けられていない状態が示されている。同図に示すように、支持部材２０には、各質量体４０を軸支するための軸支部Ｅが各質量体４０に対応して設けられる。
【００１９】
図３は、軸支部Ｅの構成を示す図である。同図（ａ）は１つの軸支部Ｅ近傍を示す部分平面図、同図（ｂ）は同図（ａ）のＡ−Ａ線に沿う部分断面図、同図（ｃ）は同図（ａ）に示す１つの軸支部Ｅを同図左方（支持部材２０の前方）からみた部分正面図である。
【００２０】
図２、図３（ａ）に示すように、軸支部Ｅは、前壁部３３の後方で両側壁部３４及び仕切壁部３５で囲まれた空間に構成され、回動軸部３２（被嵌合部）を有する。
【００２１】
回動軸部３２は、左側突起部３２Ｌ及び右側突起部３２Ｒが、両側壁部３４から互いに対向して内向きに突設されて構成される。突起部３２Ｌ、３２Ｒは、図３（ｂ）に示すように円形の軸から軸対称の２つの円弧を切欠した上下方向に長い小判型の形状をしている。突起部３２Ｌ、３２Ｒの上部及び下部には、後述する質量体４０の軸受け部４５（嵌合部）の欠円Ｒに嵌合する円弧部（３２Ｌａ及び３２Ｌｂ、３２Ｒａ及び３２Ｒｂ）が形成される。
【００２２】
これら前壁部３３、側壁部３４、仕切壁部３５及び回動軸部３２は、金型による成形で支持部材２０と一体に形成される。その際、成形には、支持部材２０に対して上下方向に離接する２つの金型が少なくとも用いられる。そして、例えば突起部３２の上側円弧部３２ａ（３２Ｌａ、３２Ｒａ）は上側金型により成形され、突起部３２の下側円弧部３２ｂ（３２Ｌｂ、３２Ｒｂ）は下側金型により成形される。金型成形による製造誤差により、上側円弧部３２ａと下側円弧部３２ｂとがずれ、同心円上に位置しない場合があるため、後述する軸受け部４５の欠円Ｒの直径は、この製造誤差を考慮して適当なクリアランスを加えた値に設定される。従って、上側円弧部３２ａと下側円弧部３２の各直径は、軸受け部４５の欠円Ｒの直径よりも小さい。
【００２３】
突起部３２Ｌ、３２Ｒの前後方向（図３（ｂ）の左右方向）の胴体幅は、軸受け部４５の欠円Ｒの開口部Ｒａ（後述）の幅より小さく形成され、突起部３２Ｌ、３２Ｒが開口部Ｒａを通過できるようになっている。
【００２４】
仕切壁部３５の上部における前部には、スライド面３５ａが形成されている。スライド面３５ａは、軸支部Ｅの鍵幅方向における略中央の一部において凹状の円弧状に形成される。スライド面３５ａの曲率半径の中心は回動軸部３２の軸中心に略一致している。スライド面３５ａは、後述するように、軸受け部４５の弾性片４８と当接して、回動する質量体４０を回動中心Ｐに向けて付勢する役割を果たす。
【００２５】
図４は、質量体４０の構成を示す側面図である。図５は、質量体４０の軸受け部４５の構成を示す部分拡大図（同図（ａ））及び部分斜視図（同図（ｂ））である。
【００２６】
質量体４０は、適当な押鍵感触を得るために設けられる。図４に示すように、質量体４０は、軸受け部４５から前方に延びる前方延設部４０Ａと、軸受け部４５から後方に延びる後方延設部４０Ｂとから構成される。質量体４０には、押鍵時に適当な慣性力を得るための質量として、前方延設部４０Ａの頭部４６及び後方延設部４０Ｂの尾部４７に鉄等の金属が埋設されている。
【００２７】
質量体４０は、前方延設部４０Ａの方が後方延設部４０Ｂよりも重く設定され、鍵１が組み付けられた後は、自重によって頭部４６が押鍵開始位置の方向に常に付勢されている（復帰手段）。従って、非押鍵状態及び押鍵初期には鍵１の駆動部９と常に当接し、鍵１と質量体４０とが連動状態となる。そして押鍵操作が終了すれば自然に押鍵開始位置に復帰する。なお、押鍵態様によっては押鍵行程途中から質量体４０が鍵１の駆動部９から離間する場合がある。
【００２８】
後方延設部４０Ｂの下面には、アクチュエータ４２が設けられ、アクチュエータ４２は、質量体４０の回動に伴い支持部材２０の鍵スイッチ２５を押下する。後方延設部４０Ｂの後端部下面には、当接部４４が形成されている。当接部４４は、質量体４０の回動によって支持部材２０の質量体用ストッパ２２に当接する。
【００２９】
発音位置調整ネジ４１は、延設部４０Ａに設けられている。発音位置調整ネジ４１は、頭部４１ａ、調整部４１ｂ及び軸部４１ｃが一体となって構成され、例えば質量体４０の金型による成形時にインサート成形により質量体４０に取り付けられる。発音位置調整ネジ４１は、頭部４１ａが鍵１の駆動部９と当接して押鍵による駆動力を質量体４０に伝達し、これによって質量体４０が回動する。
【００３０】
発音位置調整ネジ４１の頭部４１ａは曲面状に形成されており、鍵１の駆動部９との当接点が回動行程において滑らかに移動して、押鍵感触への悪影響が防止されている。調整部４１ｂには例えばプラスまたはマイナス状の溝が切られ、あるいは六角穴状または六角柱状に形成され（図示せず）、頭部４１ａの下方への突出量をドライバやレンチで調整可能になっており、これによって、質量体４０の回動量と鍵スイッチ２５の検出による発音タイミングとの関係を調整することができる。
【００３１】
軸受け部４５は、質量体４０と一体に形成され、左右両側面に同様の構成で左右対称に設けられる。図５に示すように、軸受け部４５は、内周面４５ａ及び開口部Ｒａからなる欠円Ｒを形成している。
【００３２】
欠円Ｒの内周面４５ａの直径は、上述したように、金型成形時の製造誤差を許容するためのクリアランスを含んだ値となっており、支持部材２０の回動軸部３２（突起部３２Ｌ、３２Ｒ）の円弧部（３２ａ、３２ｂ）の外周が摺動可能に嵌合する大きさに設定される。欠円Ｒの開口部Ｒａの幅は、突起部３２Ｌ、３２Ｒの円弧部の直径より小さく形成され、突起部３２Ｌ、３２Ｒは内周面４５ａと嵌合している状態では開口部Ｒａを通過できないようになっている。質量体４０は、回動軸部３２によって軸受け部４５で回動自在に支持されることで、押離鍵時に軸受け部４５を回動中心として回動する。小判型の回動軸部３２と欠円状の軸受け部４５とで質量体４０の回動支点機構Ｍ（図７、図８）を構成することで、簡単な構成で係合及びその解除を容易にしている。
【００３３】
押鍵操作範囲外に対応する質量体４０の回動角度のうち、押鍵操作開始時における質量体の回動開始位置（図１）よりも同図反時計方向の回動角度では、突起部３２Ｌ、３２Ｒが開口部Ｒａを通過できる一方、押鍵操作範囲内（図１の状態から後述する図８の状態までの回動範囲）に対応する質量体４０の回動角度では、突起部３２Ｌ、３２Ｒが開口部Ｒａを通過できないように、回動軸部３２における円弧の切欠位置や軸受け部４５の開口部Ｒａの配置角度等が設定されている。
【００３４】
軸受け部４５の両側面には摺接面４５ｂ及び潤滑剤用溝４５ｃが複数形成される。複数の摺接面４５ｂはいずれも面一に形成され、質量体４０を支持部材２０に組み付けたとき、支持部材２０の軸支部Ｅの両側壁部３４に摺接する。内周面４５ａ等にはグリス等の潤滑剤が塗布される。
【００３５】
質量体４０の軸受け部４５の下部には、弾性片４８が質量体４０と一体に形成されている。弾性片４８は、質量体４０の側面からみてひげ状に形成され、回動中心Ｐを中心とした円弧曲線に沿って根本から自由端部に向かって延び、回動中心Ｐ方向に対して適当な弾性を有する。弾性片４８の先端部４８ａは、後述するように、回動時に仕切壁部３５のスライド面３５ａと当接し、スライド面３５ａから受ける当接力を軸受け部４５に伝える。弾性片４８及びスライド面３５ａは、軸受け部４５を回動中心Ｐ方向に向かって付勢するための付勢機構Ｎを構成する（図７、図８）。
【００３６】
図６は、質量体４０の組み付け時の状態を示す部分断面図である。
【００３７】
質量体４０の支持部材２０への組み付けは次のようにしてなされる。すなわち、同図に示すように質量体４０の欠円Ｒの開口部Ｒａが下方を向くようにして回動軸部３２に向かって質量体４０を上方から降ろしていく。そして、突起部３２Ｌ、３２Ｒが両側の開口部Ｒａをそれぞれ通過するようにする。なお、このときの質量体４０の姿勢は、組み付け後の押鍵による押鍵操作範囲外に対応する回動角度となっている。質量体４０が支持部材２０に組み付けられた直後の状態では頭部４６が下がっており、上方から下降させるときの姿勢とほぼ同じである。従って、取り外し時等には、その姿勢のまま上方に上昇させれば突起部３２Ｌ、３２Ｒと軸受け部４５との係合を容易に解くことができ、すなわち質量体４０を取り外すことができる。
【００３８】
なお、質量体４０の支持部材２０への組み付け、取り外し時における質量体４０の姿勢では、弾性片４８は質量体４０において上方に垂直に延びており、延設方向が質量体４０の抜き方向と一致するので、質量体４０の着脱の邪魔になることがない。
【００３９】
質量体４０を上方から下降させた後、質量体４０を回動軸部３２に対して適当な角度だけ相対的に回動させる、例えば同図時計方向に回動させて非押鍵時の位置（回動開始位置）まで回動させれば、突起部３２Ｌ、３２Ｒの円弧部３２ａ、３２ｂが軸受け部４５の内周面４５ａと摺接し、突起部３２Ｌ、３２Ｒと軸受け部４５との係合が維持される状態となる。なお、鍵１の組み付け作業によりこの係合維持状態に自動的に移行するようになっている。
【００４０】
図７は、非押鍵状態における回動支点機構Ｍ近傍の部分断面図である。
【００４１】
鍵１を組み付けた鍵フレーム１０及び質量体４０を組み付けた支持部材２０を、上記のように質量体４０を回動自在に適切に支持し得るような棚板２上の正規の位置に配置固定した後は、鍵１の押鍵操作に連動して質量体４０が回動開始位置（図１）から回動終了位置（図８）まで回動する。上述したように、押鍵操作範囲内では、突起部３２Ｌ、３２Ｒが軸受け部４５の欠円Ｒから抜けることがないので、回動全行程において突起部３２Ｌ、３２Ｒと軸受け部４５との係合が維持され、質量体４０が支持部材２０から離脱することなく回動する。
【００４２】
鍵１及び質量体４０を組み付けた後、メンテナンス等のため質量体４０を取り外したいときは、鍵１を鍵フレーム１０から取り外すかまたは鍵１を鍵フレーム１０ごと棚板２から取り外す。これにより、質量体４０の頭部４６が自重で下方に垂れ下がり、上記組み付け直後と同じ姿勢になるので、その姿勢で上方に上昇させれば質量体４０を支持部材２０から容易に取り外すことができる。
【００４３】
なお、非押鍵状態では、弾性片４８の先端部４８ａはスライド面３５ａの上端より上方に位置し、スライド面３５ａとは当接していない。
【００４４】
図８は、回動終了位置における質量体４０及び支持部材２０の部分断面図である。押鍵操作に伴い質量体４０が回動を開始すると、まもなく弾性片４８の先端部４８ａがスライド面３５ａに当接し、その後、先端部４８ａとスライド面３５ａとの摺接により軸受け部４５が回動中心Ｐに向かって押圧されつつ、質量体４０が回動終了位置まで回動していく。先端部４８ａがスライド面３５ａと当接（摺接）することにより、弾性片４８は、スライド面３５ａがなかったと仮定した場合に比し、同図に示すように撓みＢだけ回動中心Ｐ側に撓み、それに応じた付勢力が軸受け部４５に加わることになる。これにより、内周面４５ａが突起部３２の上側円弧部３２ａと下側円弧部３２ｂとに交互に当接離間を繰り返すようなあばれ作用が抑制され、回動中における軸受け部４５と回動軸部３２との適当な嵌合状態が維持される。
【００４５】
本実施の形態によれば、質量体４０に弾性片４８を設けると共に支持部材２０にスライド面３５ａを設けて付勢機構Ｎを構成し、質量体４０の回動時には軸受け部４５が回動中心Ｐ方向に向かって付勢されるので、軸受け部４５の内周面４５ａが突起部３２の上側円弧部３２ａ及び下側円弧部３２ｂに対して交互に当接離間を繰り返すようなことがなく滑らかに摺接し、軸受け部４５と回動軸部３２との間であばれが発生しにくい。従って、回動軸部３２と軸受け部４５とに金型成形による製造誤差を考慮したクリアランスを設ける通常の設計であっても、両者の適切な嵌合状態が維持され、質量体４０の回動動作が安定する。その結果、メカノイズを低減することができ、押鍵する手に伝わる振動を減少させて押鍵感触の悪化を抑制することができだけでなく、回動支点機構Ｍの耐久性を向上することができる。また、付勢機構Ｎは質量体４０と一体に形成され、スライド面３５ａに当接するだけで付勢力が得られるように構成したので、構成が簡単で、製造コストも高くならない。よって、簡単な構成で、押鍵時における安定した回動動作を確保して、メカノイズの低減、押鍵感触の向上及び耐久性の向上を図ることができる。
【００４６】
特に質量体４０は軸受け部４５にかかる力が強く、また回動速度も一般に速いので、質量体４０に適用したことで、押鍵感触に与える悪影響を抑制する効果が大きい。
【００４７】
なお、本実施の形態では、質量体４０の弾性片４８と支持部材２０のスライド面３５ａとで付勢機構Ｎを構成するようにしたが、これとは逆に、弾性片４８を支持部材２０側に設け、スライド面３５ａを質量体４０側に設けるようにしてもよい。また、質量体４０を回動中心Ｐに向けて付勢する構成であれば、その他の構成を採用してもよい。
【００４８】
なお、本実施の形態では、質量体４０の回動途中から弾性片４８の先端部４８ａがスライド面３５ａに当接するようにしたが、当接のタイミングはスライド面３５ａの上端位置や弾性片４８の長さ等の変更により任意に設定可能である。これらは質量体の重さや慣性特性に応じて適当に設定すればよい。
【００４９】
なお、本実施の形態では、スライド面３５ａを回動軸部３２の軸中心を中心とした円弧の一部として形成したが、これに限るものでなく、スライド面３５ａの形状の設定により、回動行程において付勢力が変化するように構成することも可能である。例えばスライド面３５ａが下方にいくにつれて回動軸部３２の軸中心に近づくように設定すれば、質量体４０の回動往行程の後半にいくほど加わる付勢力が徐々に強くなる。このようにして、質量体４０の重さ等の設計に応じた最適な付勢力の変化態様を実現することができる。
【００５０】
なお、本実施の形態では質量体４０に適用した例を示したが、鍵盤装置において回動する回動部材であれば、鍵等の他の回動部材にも適用可能である。特に、軸部を真円に形成することが困難な部材に適用して好適である。
【００５１】
なお、軸受け部４５と回動軸部３２の構成は上記例示したものに限るものでなく、特定の相対的な回動方向では係合及び係合解除が可能で、別の回動方向では係合の解除ができないようにすれば他の構成を採用してもよい。例えば、突起部３２Ｌ、３２Ｒは、円形の軸から軸対称の２つの円弧を切欠した小判型の形状に形成したが、これに代えて、円形の軸から１つの円弧を切欠した軸部として構成してもよい。あるいは軸受け部４５と回動軸部３２との形態を逆にし、質量体４０側に小判型の軸部を、支持部材２０側に欠円状の軸受け部をそれぞれ設けるようにしてもよい。
【００５２】
【発明の効果】
以上説明したように、本発明の請求項１に係る鍵盤装置によれば、簡単な構成で、押鍵時における安定した回動動作を確保して、メカノイズの低減、押鍵感触の向上及び耐久性の向上を図ることができる。
【図面の簡単な説明】
【図１】  本発明の一実施の形態に係る鍵盤装置の部分縦断面図である。
【図２】  支持部材を上方からみた平面図である。
【図３】  軸支部Ｅの構成を示す図である。
【図４】  質量体の構成を示す側面図である。
【図５】  質量体の軸受け部の構成を示す部分拡大図（同図（ａ））及び部分斜視図（同図（ｂ））である。
【図６】  質量体の組み付け時の状態を示す部分断面図である。
【図７】  非押鍵状態における回動支点機構Ｍ近傍の部分断面図である。
【図８】  回動終了位置における質量体及び支持部材の部分断面図である。
【符号の説明】
１  鍵、  ２  棚板、  ３  鍵支持部、  １０  鍵フレーム、  ２０  質量体支持部材、  ３２  回動軸部（被嵌合部）（突起部３２Ｌ、３２Ｒ）、  ３２ａ上側円弧部、  ３２ｂ  下側円弧部、  ３４  両側壁部、  ３５  仕切壁部、３５ａ  スライド面、  ４０  質量体（回動部材）、  ４１  発音位置調整ネジ、  ４５  軸受け部（嵌合部）、  ４５ａ  内周面、  ４６  頭部、  ４７  尾部、  ４８  弾性片、  ４８ａ  先端部、  Ｅ  軸支部、  Ｒ  欠円、  Ｒａ開口部、  Ｍ  回動支点機構、  Ｐ  回動中心、  Ｎ  付勢機構
【図１】
0003724323.tif 000002
【図２】
0003724323.tif 000003
【図３】
0003724323.tif 000004
【図４】
0003724323.tif 000005
【図５】
0003724323.tif 000006
【図６】
0003724323.tif 000007
【図７】
0003724323.tif 000008
【図８】
0003724323.tif 000009